(57)【要約】【課題】什器設備の内部に大容量の蓄電池を有する電源装置を内蔵することができると共に、この電源装置により自身又は外部の什器設備に電力を供給することができ、広大な平面の一部の領域であってもそれを所望の目的に利用することを可能にすることができる什器設備及びそれを用いた催事施設を提供する。【解決手段】内部に空間Ｓを有する箱状に構成され、その上部に陳列部２６又は展示部等を有する台構成部２４と、前記台構成部２４の内部空間Ｓ内に設けられ、蓄電池４６と、この蓄電池４６に電力を充電したり電力を取り出したりするのに用いられる電気部品４８，５０を有する電源装置３０と、前記台構成部２４の外部電源６８から前記電源装置３０に電力を供給するための電力受入部６２と、前記蓄電池４６に蓄えられた電力を前記台構成部２４から離れた外部装置７０，７２，７４に出力する電力出力部６０とを備えた。【選択図】図１
2014023714.tif 000002
【特許請求の範囲】
【請求項１】
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えたことを特徴とする什器設備。
【請求項２】
前記蓄電池は、リチウムイオン二次電池、又はエネルギー密度がリチウムイオン二次電池と同等若しくはそれより高い二次電池が用いられていることを特徴とする請求項１に記載の什器設備。
【請求項３】
前記電源装置は、前記蓄電池と、前記蓄電池に直流電力を蓄える充電器と、前記蓄電池に蓄えられた直流電力を交流電力に変換する変換器とを備えたことを特徴とする請求項１又は２に記載の什器設備。
【請求項４】
前記台構成部の下端部に移動用手段を備え、
前記台構成部の内部空間内には、前記電源装置に関する機器や回路のみが設けられていることを特徴とする請求項１から３のいずれかに記載の什器設備。
【請求項５】
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えた什器設備が設置されたことを特徴とする催事施設。
【請求項６】
前記電力出力部から電力を供給される外部の什器設備や他の装置が前記什器設備と共に設置されたことを特徴とする請求項５に記載の催事施設。
【請求項７】
冷蔵機能又は冷凍機能を有し、前記電力出力部から供給される電力により動作する外部の什器設備や他の装置が前記什器設備と共に設置されたことを特徴とする請求項５又は６に記載の催事施設。
【発明の詳細な説明】
【技術分野】
【０００１】
本発明は、例えば商品の販売や展示などを目的として商品を陳列するのに用いられる陳列台、及びそれを用いた店舗構造などのような、什器設備及びそれを用いた催事施設に関するものである。
【背景技術】
【０００２】
例えば陳列台は、商品の販売や展示などに用いられる什器（じゅうき）設備の一つであり、商品を売るために商品を陳列、展示するのに用いられるものである。従来の陳列台は、その上面に商品を載せることができる棚板を備えるようになっていた（例えば、特許文献１の図１の符号２参照）。
【０００３】
商品の販売や展示などに用いられる什器設備には、陳列台の他に、レジスターがその上に載置されるレジスター載置台（以下、レジ台と呼ぶ）や、商品を陳列するためのショーケースや陳列棚、在庫品などを一定の温度や湿度の環境下で管理して収納しておくためのストッカーなどがあった。これらの陳列台やその他の什器設備は、商品の販売や展示などの際に、各々が適宜組み合わされて用いられていた。
【０００４】
また、上記ショーケースやストッカーなどには、冷蔵機能又は冷凍機能を有するものもあった。それらの機能を有するショーケースやストッカーは、冷蔵機能又は冷凍機能を有する分、それらの機能を有しないショーケースやストッカーよりも、その消費電力が大きくなっていた。
【０００５】
そして、これらの陳列台やその他の什器設備は、百貨店やスーパーマーケット、商店などにおける常設の店舗において用いられるだけでなく、例えば催事などを開催する際には、百貨店やスーパーマーケット、駅構内などの屋内の広いフロアー（床）の一部や、空地や山野、河川敷などの屋外の土地の一部を販売・展示スペースとして臨時に利用する、仮設の販売店舗や展示場においても用いられることがあった。
【先行技術文献】
【特許文献】
【０００６】
【特許文献１】特開２００２−０４５２８０号公報
【特許文献２】特開２０１１−０６７３９４号公報
【発明の概要】
【発明が解決しようとする課題】
【０００７】
しかしながら、上記什器設備の内、レジ台上のレジスターや、冷蔵機能などを有するショーケースなどは、電力供給を受けて動作する電力機能部を有しており、この電力機能部に電力を供給するために、その先端部に電源プラグが設けられた電源コードを備えていた。この電源プラグがレジスターやショーケースなどから離れた位置にある、外部電源としてのコンセントに機械的かつ電気的に接続されることにより、レジスターやショーケースなどの電力機能部に電力が供給されるようになっていた。
【０００８】
このため、これらの電力供給を受けて動作する電力機能部を有する什器設備を使用するには、それらの設置場所の近くの建物の壁やフロアーなどに、コンセントなどの外部電源が設けられている必要があった。
【０００９】
そして、上記外部電源がそれらの什器設備の設置場所の近くに設けられていない場合や、外部電源が近くに設けられていてもその数や電力供給量が不足する場合には、広いフロアーや土地などにおける一部の領域を販売・展示スペースとして利用することができないという問題があった。
【００１０】
上記外部電源が、電力機能部を有する什器設備の近くに存在しないか、又はあってもその数や電力供給量が不足する場合には、外部電源が設けられた他の場所から電線を引くか、或いは近くの建物の壁やフロアーなどにコンセントを新たに設けるなどの電気工事を行なう必要があった。このような電気工事は、一時的な用途の為に著しく過大な労力や時間、費用が掛かってしまうという問題があった。
【００１１】
また、上記外部電源が上記電力機能部を有する什器設備の近くに存在しないか、又はあってもその数や電力供給量が不足するという問題に対しては、上記電力機能部を有する什器設備の設置場所の近くに可搬型の発電機を持ち込むことが考えられるが、発電機はそれ自体が発する騒音や振動が問題となる場合が多く、それらの騒音や振動が問題とならない状況や場所においてしか使用することができないという制限があった。
【００１２】
また従来においては、ショーケース本体に、鉛蓄電池を有する電源装置を着脱可能に設けたショーケースがあった（特許文献２の図２のショーケースＳ参照）。
【００１３】
この従来のショーケースは、ショーケース本体の下端部に形成された凹部に収まる外形寸法の箱状ケース部の内部に、鉛蓄電池を有する電源装置を内蔵する構造になっている。このため、その電源装置が有する鉛蓄電池の大きさをあまり大きくすることができない構造となっていることにより、その鉛蓄電池に蓄えることができる電力の容量もあまり大きくすることができなかった。
【００１４】
このため、従来のショーケースに着脱可能に設けた電源装置は、ショーケースの照明装置などの、比較的消費電力の小さいものにしか電力を供給することができないものであり、消費電力が大きい冷蔵機能又は冷凍機能を有する什器設備などには十分な電力を供給することができなかった。
【００１５】
そこで本発明は、上記問題点に鑑みて、什器設備の内部に大容量の蓄電池を有する電源装置を内蔵することができると共に、この電源装置により自身又は外部の什器設備に電力を供給することができ、広大な平面の一部の領域であってもそれを所望の目的に利用することを可能にすることができる什器設備及びそれを用いた催事施設を提供することを課題とするものである。
【課題を解決するための手段】
【００１６】
上記課題を解決するために、本発明による什器設備は、
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えたことを特徴とするものである。
【００１７】
また、本発明による什器設備は、
前記蓄電池は、リチウムイオン二次電池、又はエネルギー密度がリチウムイオン二次電池と同等若しくはそれより高い二次電池が用いられていることを特徴とするものである。
【００１８】
また、本発明による什器設備は、
前記電源装置は、前記蓄電池と、前記蓄電池に直流電力を蓄える充電器と、前記蓄電池に蓄えられた直流電力を交流電力に変換する変換器とを備えたことを特徴とするものである。
【００１９】
また、本発明による什器設備は、
前記台構成部の下端部に移動用手段を備え、
前記台構成部の内部空間内には、前記電源装置に関する機器や回路のみが設けられていることを特徴とするものである。
【００２０】
また、上記課題を解決するために、本発明による催事施設は、
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えた什器設備が設置されたことを特徴とするものである。
【００２１】
また、本発明による催事施設は、
前記電力出力部から電力を供給される外部の什器設備や他の装置が前記什器設備と共に設置されたことを特徴とするものである。
【００２２】
また、本発明による催事施設は、
冷蔵機能又は冷凍機能を有し、前記電力出力部から供給される電力により動作する外部の什器設備や他の装置が前記什器設備と共に設置されたことを特徴とするものである。
【発明の効果】
【００２３】
このような本発明の什器設備によれば、
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えたことにより、
什器設備の内部に大容量の蓄電池を有する電源装置を内蔵することができると共に、この電源装置により自身又は外部の什器設備に電力を供給することができ、広大な平面の一部の領域であってもそれを所望の目的に利用することを可能にすることができる。
【００２４】
また、本発明の催事施設によれば、
内部に空間を有する箱状に構成され、その上部に陳列部又は展示部等を有する台構成部と、
前記台構成部の内部空間内に設けられ、蓄電池と、この蓄電池に電力を充電したり電力を取り出したりするのに用いられる電気部品を有する電源装置と、
前記台構成部の外部電源から前記電源装置に電力を供給するための電力受入部と、
前記蓄電池に蓄えられた電力を前記台構成部から離れた外部装置に出力する電力出力部とを備えた什器設備が設置されたことにより、
什器設備の内部に大容量の蓄電池を有する電源装置を内蔵することができると共に、この電源装置により自身又は外部の什器設備に電力を供給することができ、広大な平面の一部の領域であってもそれを所望の目的に利用することを可能にすることができる。
【図面の簡単な説明】
【００２５】
【図１】本発明の一実施の形態に係る陳列台２２を示す一部破断正面図である。
【図２】図１に示す陳列台２２の左側面図である。
【図３】図１に示す陳列台２２における枠体２３を示す図であって、図３（ａ）はその上面図、図３（ｂ）はその正面図、図３（ｃ）はその左側面図である。
【図４】図１に示す陳列台２２における台構成部２４を示す図であって、図４（ａ）は上板３２を省略して示すその上面図、図４（ｂ）は上板３２と側板４０とを省略して示すその左側面図である。
【図５】図１に示す陳列台２２のコンセント６０や充電用コンセント６２、これらに接続される他の什器設備について説明するための概略構成図である。
【図６】本発明の一実施の形態に係る店舗構造２０を示す概略配置図である。
【図７】本発明の一実施の形態に係る陳列台２２における台構成部２４における形状以外の他の形状の台構成部２４Ａを用いた他の実施例について説明するための図である。
【発明を実施するための形態】
【００２６】
以下、本発明に係る什器設備及びそれを用いた催事施設を実施するための形態について、図面に基づいて具体的に説明する。
【００２７】
図１から図６は、本発明の什器設備及びそれを用いた催事施設の一実施の形態に係る、陳列台２２及びそれを用いた店舗構造２０について説明するために参照する図である。
【００２８】
本実施の形態に係る陳列台２２（什器設備）は、図３に示すような、直方体状に形成された枠体２３の六つの面すべてが、図１，２に示すように、上板３２や底板３４、及び、側板３６，３８，４０，４２により塞がれて、その内部に内部空間Ｓを有する直方体の箱状に構成された台構成部２４を備えている。
【００２９】
そして、陳列台２２は、図１に示すように、台構成部２４の上部に陳列部２６を有すると共に、台構成部２４の内部空間Ｓ内に、複数の電気部品を組合せて設けられた電源装置３０を備えている。この電源装置３０は、蓄電池４６と、この蓄電池４６に電力を充電したり外部に電力を取り出したりするのに用いられる電気部品を有している。
【００３０】
図２に示すように、陳列台２２は、その台構成部２４の側板４０に、陳列台２２の外部から電源装置３０に電力を供給するための充電用コンセント６２（電力受入部）と、蓄電池４６に蓄えられた電力を陳列台２２の外部の装置に出力するコンセント６０（電力出力部）を備えている。
【００３１】
陳列台２２の枠体２３は、図３（ａ）から（ｃ）に示すように、金属製のアングル４４ａ，４４ｂ，４４ｃ（等辺山形鋼）が縦横高さの３方向に組み合わされて、互いに連結する部分を溶接により固定されることにより、その形状が直方体の稜線部に相当するような枠状に形成されている。
【００３２】
すなわち、枠体２３は、図３（ａ）中の、四隅部に図中紙面に対して垂直方向に伸びるように配置されたアングル４４ａと、図３（ｂ），（ｃ）中の、アングル４４ａの長さ方向上端部間に渡って水平方向に伸びて、その長さ方向の両端部がアングル４４ａに連結されたアングル４４ｂと、図３（ｂ），（ｃ）中の、アングル４４ａの長さ方向下端部間に渡って水平方向に伸びて、その長さ方向の両端部がアングル４４ａに連結されたアングル４４ｃとにより構成されている。
【００３３】
この枠体２３は、その外形寸法がそれぞれ、例えば、図３（ａ）から（ｃ）に示すように、長さ寸法Ｌは１０００ｍｍ、幅寸法Ｗは８００ｍｍ、高さ寸法Ｈは５００ｍｍに形成されている。そして、枠体２３の六つの外側面は、それらのアングルの内側に四角形状の開口部が空いたロの字状に形成されている。
【００３４】
図３（ｂ），（ｃ）に示すように、枠体２３のアングル４４ｃの四隅部の下側には、キャスター２８（移動用手段）がそれぞれ設けられている。このキャスター２８は、枠体２３に対して相対回転可能な車部２８ａを有しており、この車部２８ａの外周面は、枠体２３を床面２１上に載置させた際に、床面２１に接触して転動するようになっている。
【００３５】
このため、陳列台２２は、枠体２３の下側に設けられたキャスター２８の車部２８ａを回転させることにより、陳列台２２の移動時の床面２１に対する摩擦抵抗を、すべり摩擦力よりも小さいころがり摩擦力にすることができるので、すべり摩擦力よりも小さい力で陳列台２２を移動させることができるようになっている。
【００３６】
陳列台２２の台構成部２４は、図４（ａ）における枠体２３の４つの辺から、同図紙面に対して垂直方向に伸びる外側面のそれぞれには、矩形板状の側板３６，３８，４０，４２のそれぞれが、図１，２に示すように固定されている。
【００３７】
すなわち、陳列台２２は、図１に示すように、枠体２３の図中左右方向に長さを有する２つの外側面の内、一方の図中紙面手前側の外側面には、側板３６が固定されており、他方の図中紙面奥側の外側面には、側板３８が固定されている。
【００３８】
そして、陳列台２２は、枠体２３の図１中左端の外側面には、図２に示すように、側板４０がネジ締結などにより、取り付け取り外しが可能な状態で固定されており、枠体２３の図１中右端の外側面には、側板４２が側板４０と同様の状態で固定されている。
【００３９】
また、図１に示すように、略矩形板状の上板３２は、枠体２３の同図中上側の水平の外側面の周部を構成するアングル４４ｂの上面に載置されて固定されている。上板３２は、図１，２に示すように、その四辺が台構成部２４の垂直方向の外側面より水平方向外側に張り出すように大きく形成されている。
【００４０】
また、図４（ｂ）に示すように、陳列台２２の矩形板状の底板３４が、枠体２３の同図中下側の外側面の周部を構成するアングル４４ｃの内側上面に載置されて、ネジ締結などにより互いに固定されている。
【００４１】
陳列台２２の台構成部２４は、図１に示すように、枠体２３の六つの外側面すべてを上板３２や下板３４、側板３６，３８，４０，４２によって覆われ、前述したようにその外形形状が直方体の箱状に構成されており、その内部に大きな内部空間Ｓを有している。
【００４２】
図１，２に示すように、陳列台２２の台構成部２４の上部には陳列部２６が設けられている。この陳列部２６は、台構成部２４の上板３２の上面３２ａに立設した立設部材５６と、その上端部に設けられて水平方向に伸びる長尺部材５８により組立てられた外枠部５４とにより構成されている。
【００４３】
すなわち陳列部２６の外枠部５４は、図１，２に示すように、上板３２の上面３２ａの四隅部それぞれに立設して設けられる４本の略四角柱状の立設部材５６と、立設部材５６の上端部の互いに対向する側面に、その水平方向に伸びる長さ方向の両端部の面が溶接などにより固定された長尺部材５８により構成されている。
【００４４】
そして、陳列台２２は、その周囲を外枠部５４の長尺部材５８により囲まれた領域内の、上板３２の上面３２ａの上に商品を陳列することができるようになっている。
【００４５】
図４（ａ）に示すように、台構成部２４の内部空間Ｓ内には、リチウムイオン二次電池を用いた蓄電池４６（バッテリー）を有する電源装置３０が収納され、この電源装置３０は台構成部２４の底板３４上に一体的に設けられている。
【００４６】
そして、電源装置３０は、図４（ｂ）に示すように、交換可能に設けられた蓄電池４６と、この蓄電池４６に１２Ｖの直流電力を充電する充電器４８と、１００Ｖの交流電力を１２Ｖの直流電力に変換すると共に、蓄電池４６に充電された１２Ｖの直流電力を１００Ｖの交流電力に変換する変換器５０を備えて構成されている。
【００４７】
電源装置３０の蓄電池４６、充電器４８及び変換器５０は、不図示の電気コードを介して電気的に接続されている。また、電源装置３０の変換器５０は、台構成部２４の側板４０に設けられたコンセント６０や充電用コンセント６２（図５参照）に、不図示の電気コードを介して電気的に接続されている。
【００４８】
蓄電池４６は、エネルギー密度の高いリチウムイオン二次電池が用いられ、変換器５０によりその内部に１２Ｖの直流電力が充電されるようになっている。この蓄電池４６は、複数のセルを内蔵する箱状に形成されており、例えばその外形寸法はそれぞれ、長さ寸法が６９０ｍｍ、幅寸法が３９０ｍｍ、高さ寸法が３２０ｍｍに形成されている。
【００４９】
図４（ａ）に示すように、蓄電池４６は、その長さ方向が台構成部２４の枠体２３の長さ方向に略平行になるように、かつ枠体２３の幅方向（図中上下方向）の図中上側に寄せて配置され、底板３４の上面３４ａ上に設けられている。
【００５０】
変換器５０は、充電用コンセント６２（図２）を介して外部から入力された１００Ｖの交流電力から、１２Ｖの直流電力を電気的に生成して充電器４８にわたすと共に、蓄電池４６から出力された１２Ｖの直流電力から１００Ｖの交流電力を電気的に生成して、それを外部に出力するためのコンセント６０（図２）にわたす機能を有している。
【００５１】
この変換器５０は、その長さ方向が蓄電池４６の長さ方向に略平行に並ぶように、かつ枠体２３の幅方向の図４（ａ）中下側に寄せて配置され、底板３４の上面３４ａ上に設けられている。
【００５２】
充電器４８は、変換器５０から供給された１２Ｖの直流電力を蓄電池４６に充電する機能を有している。この充電器４８は、図４（ｂ）に示すように、固定部材５２上に載置されて、変換器５０の上方に配置されている。
【００５３】
この固定部材５２は、その断面形状が変換器５０を囲むような逆Ｕ字状に形成され、その逆Ｕ字状の両側の先端部が垂直に折り曲げられ、この折り曲げられた部分の下面が、底板３４の上面３４ａに接触してネジなどにより底板３４に一体的に固定されている。
【００５４】
電源装置３０は、図４（ｂ）に示すように、その充電器４８と変換器５０が同図中上下方向に互いに重ね合わされて配置されているため、充電器４８と変換器５０が内部空間Ｓ内を水平方向に占める面積を小さくすることができ、その分内部空間Ｓが水平方向に大きくなることを防止することができる。
【００５５】
図２に示すように、陳列台２２の側面４０には、図中左下端部に３つのコンセント６０（電力出力部）が並んで設けられ、図中右下端部には充電用コンセント６２（電力受入部）が設けられている。また、陳列台２２の側面４０には、台構成部２４の内外に空気を通すための複数の空気孔６４が、図中上下方向中央部より下端部寄りの位置に、上下左右方向に並んで形成されている。
【００５６】
陳列台２２は、図５に示すように、充電用コンセント６２と電源コード７６を介して、陳列台２２から離れた外部の建物の壁６６に設けられたコンセント６８（外部電源）から電力を入力し、図４に示す電源装置３０の変換器５０にその電力を供給するようになっている。
【００５７】
電源コード７６は、図５に示すように、コード部７６ａの長さ方向の一端部には陳列台２２の充電用コンセント６２に嵌合する電源プラグ７６ｂが設けられ、他端部には壁６６のコンセント６８に嵌合する電源プラグ７６ｃが設けられている。
【００５８】
そして、陳列台２２の電源装置３０（図４）は、電源プラグ７６ｂが充電用コンセント６２に差し込まれて嵌合し、電源プラグ７６ｃがコンセント６８に差し込まれて嵌合すると共に、電気的に接続されることにより、充電用コンセント６２と電源コード７６を介してコンセント６８から電力を供給されて、蓄電池４６（図４）の充電が行なわれる。
【００５９】
図５に示すように、ショーケース７０は冷蔵機能を、ストッカー７２は冷凍機能を有しているため、ショーケース７０、ストッカー７２のそれぞれは、外部から電力供給を受けて動作する什器設備である。そして、これらの消費電力は、冷蔵機能を有しないショーケースや冷凍機能を有しないストッカーの消費電力よりも大きいものとなっている。
【００６０】
ショーケース７０、ストッカー７２及びレジスター７４のそれぞれは、その先端部に陳列台２２のコンセント６０に嵌合する電源プラグ７０ｂ，７２ｂ，７４ｂが設けられた電源コード７０ａ，７２ａ，７４ａを備えている。
【００６１】
陳列台２２は、蓄電池４６に蓄えられた電力を外部に出力、すなわち、コンセント６０、電源プラグ７０ｂ，７２ｂ，７４ｂ、電源コード７０ａ，７２ａ，７４ａなどを介して図５に示すショーケース７０やストッカー７２、レジスター７４などの什器設備に電力を供給するようになっている。
【００６２】
そして、ショーケース７０、ストッカー７２及びレジスター７４のそれぞれは、電源プラグ７０ｂ，７２ｂ，７４ｂがコンセント６０に差し込まれて嵌合すると共に、コンセント６０と電気的に接続されることにより、コンセント６０を介して、陳列台２２の蓄電池４６（電源装置３０）から電力を供給されて、その電力を主動力として動作するようになっている。
【００６３】
陳列台２２は、それを使用する場所に運ぶ前に予め電源装置３０の蓄電池４６に充電しておくが、それを使用する場所において、蓄電池４６を充電する必要が生じたときは、それを使用する場所の近くに、外部電源であるコンセント６８があるときはその場所で充電し、その場所に外部電源であるコンセント６８がない場合には、陳列台２２だけがその場所から離れてその外部電源のコンセント６８を有する建物の壁６６などの近くまで運ばれて、そのコンセント６８から電力を供給して蓄電池４６を充電するようになっている。
【００６４】
本実施の形態に係る陳列台２２は、その台構成部２４内部に大きな内部空間Ｓが形成され、その内部空間Ｓ内に外形寸法の大きい蓄電池４６が設けられると共に、蓄電池４６にエネルギー密度の高いリチウムイオン二次電池が用いられているため、蓄電池４６に蓄えることができる電力の容量は、前記従来のショーケースにおける鉛蓄電池に蓄えることができる電力の容量に比べて、著しく大きいものである。また、蓄電池４６の重さも、鉛蓄電池を用いた蓄電池よりも軽いものとなっている。
【００６５】
このように陳列台２２の台構成部２４内部には、大容量の蓄電池４６が収納されているため、日中の販売時間である８時間よりも長い時間にわたって、ショーケース７０、ストッカー７２及びレジスター７４のそれぞれに電力を供給し続けることができる。
【００６６】
また、陳列台２２の台構成部２４内部には、軽量の蓄電池４６が収納されているため、従来のようにリチウムイオン二次電池より重量が著しく重い鉛蓄電池が用いられた場合に比べて、陳列台２２の移動を容易に行なうことができる。
【００６７】
なお、台構成部２４内部に設けられる蓄電池４６に、リチウムイオン二次電池よりエネルギー密度のかなり低い鉛蓄電池が用いられた場合には、日中の販売時間である８時間よりも長い時間にわたって、ショーケース７０、ストッカー７２及びレジスター７４のそれぞれに電力を供給し続けることはできない。
【００６８】
図６は、本発明の一実施の形態に係る陳列台２２を用いた店舗構造２０（催事施設）について説明するために参照する図である。
【００６９】
本実施の形態に係る店舗構造２０は、陳列台２２を用いることにより、例えば、図６中二点鎖線で示す正方形状の領域７７を販売・展示スペースとして利用することができるようになっている。
【００７０】
図６に示す店舗構造２０は、正方形状の領域７７内に、電源装置３０を内蔵した陳列台２２と、冷蔵機能を有するショーケース７０と、冷凍機能を有するストッカー７２と、レジスター７４が上面に載置されたレジ台７３と、上記陳列台２２とは異なり電源装置３０を有しない陳列台７８が配置されている。
【００７１】
ショーケース７０、ストッカー７２及びレジスター７４のそれぞれは、上述したように、陳列台２２のコンセント６０を介して、陳列台２２の電源装置３０から電力を供給されて、その電力を主動力として動作するようになっている。
【００７２】
このような本実施の形態に係る陳列台２２及びそれを用いた店舗構造２０においては、陳列台２２の台構成部２４の内部空間Ｓを効率よく利用することができるため、その内部空間Ｓ内に外形形状の大きい蓄電池４６を積載することができ、蓄電池４６の容量も大きなものにすることができる。また台構成部２４の内部空間Ｓが水平方向に大きくなることを防止することができる。
【００７３】
また、本実施の形態に係る陳列台２２及びそれを用いた店舗構造２０においては、陳列台２２の内部に電源装置３０を備え、その側板４０にコンセント６０が設けられているため、ショーケース７０、ストッカー７２及びレジスター７４などの、陳列台２２の外部の什器設備に電力を供給することができる。
【００７４】
また、本実施の形態に係る陳列台２２及びそれを用いた店舗構造２０においては、商品の販売や展示などに用いられる什器設備の一つである陳列台２２にコンセント６０を設けたことにより、外部電源が近くに設けられていない場合や、外部電源が近くに設けられていても什器設備に供給するのに十分な数がない場合においても、コンセントを新たに設けるなどの電気工事を行なうことなく、床や土地の一部の領域を販売・展示スペースとして利用することができる。
【００７５】
また、本実施の形態に係る陳列台２２及びそれを用いた店舗構造２０においては、領域７７内に陳列台２２を配置するだけで販売・展示スペースとしての利用が可能となるため、百貨店やスーパーマーケットや駅構内などの屋内のフロアーの一部の領域や、屋外の土地の一部の領域を容易に販売・展示スペースにすることができる。
【００７６】
また、本実施の形態に係る陳列台２２及びそれを用いた店舗構造２０においては、外部電源が近くになくてもよいため、外部電源の有無による影響を受けることなく、什器設備の配置、レイアウトを自由に行なうことができる。
【００７７】
また、本実施の形態に係る陳列台２２及びそれを用いた店舗構造２０においては、電源装置３０の蓄電池４６により什器設備は動作するため、停電時であっても使用することができる。また、蓄電池４６を電気料金の低い夜間に充電して、昼間使用することができるため、販売や展示などに係る電気料金を安くすることができる。
【００７８】
したがって、以上に説明したように、本実施の形態に係る陳列台２２及びそれを用いた店舗構造２０によれば、陳列台２２の内部に大容量の蓄電池４６を有する電源装置３０を内蔵することができると共に、この電源装置３０により陳列台２２自身又は外部のショーケース７０、ストッカー７２及びレジスター７４などの什器設備に電力を供給することができ、広大な平面の一部の領域であってもそれを所望の目的に利用することを可能にすることができる。
【００７９】
また、本実施の形態に係る陳列台２２及びそれを用いた店舗構造２０によれば、台構成部２４の内部空間Ｓ内には、電源装置３０に関する機器や回路のみが設けられているため、電源装置３０が内部空間Ｓ内をより広く使うことができると共に、電源装置３０が他の機器などから発熱やノイズなどの影響を受けないようにすることができる。また、電源装置３０が他の機器などへ発熱やノイズなどの影響を与えないようにすることができる。
【００８０】
なお、本発明は、前記実施の形態にのみ限定されるものではなく、本発明の目的を達成することができる範囲であれば、種々の変更が可能である。例えば、前記実施の形態では本発明を陳列台２２に適用した場合について説明したが、陳列台２２以外の什器設備に本発明を適用してもよい。
【００８１】
また、図７に示すように、陳列台２２の台構成部２４Ａを、図４（ａ）に示す台構成部２４と異なり、その長さ方向（図中左右方向）を長くして、その幅方向（図中上下方向）を短くすることができる。また見方を変えれば、図７に示すように、電源装置３０の蓄電池４６と変換器５０を枠体２３Ａの長さ方向に直列に並べて配置することができる。
【００８２】
また、本発明における陳列台２２は、台構成部２４，２４Ａと陳列部２６を備えるようになっていればよく、ショーケースや陳列棚は必ずしも不可欠のものではない。
【００８３】
また、前記実施の形態に係る陳列台２２における枠体２３，２３Ａは、金属製のアングル４４ａ，４４ｂ，４４ｃ（等辺山形鋼）が縦横高さの３方向に組み合わされて、互いの接触する部分を溶接により固定されることにより、外形形状が略直方体の枠状に形成されていたが、金属製のアングルの代わりに他の部材を用いてもよく、溶接の変わりにネジ締結などの他手段により互いの接触する部分が固定されていてもよい。
【００８４】
また、前記実施の形態に係る陳列台２２におけるキャスター２８は、枠体２３に対して相対回転可能な車部２８ａを有するようになっていたが、枠体２３に対して相対回転可能な球状部を有するボールキャスターであってもよい。
【００８５】
また、前記実施の形態に係る陳列台２２における蓄電池４６は、二次電池としてエネルギー密度の高いリチウムイオン二次電池が用いられており、その内部には１２Ｖの直流電力が充電されるようになっていたが、リチウムイオン二次電池と同等又はそれよりもエネルギー密度の高い他の二次電池を用いてもよいし、その内部に蓄えられる電力は、必ずしも１２Ｖの直流電力に限定されなくてもよい。
【００８６】
二次電池のエネルギー密度には、単位体積当たりの電池の容量を示す体積エネルギー密度と、単位重量当たりの電池の容量を示す重量エネルギー密度とがあるが、本発明におけるエネルギー密度は、体積エネルギー密度と重量エネルギー密度のいずれを示すものであってもよい。
【００８７】
また、前記実施の形態に係る陳列台２２においては、電源装置３０は、蓄電池４６と、充電器４８と、変換器５０を備えて構成されていたが、蓄電池４６の過充電、過放電、過電流を保護するための保護回路（電気部品）などを備えるようにしてもよい。
【００８８】
また、前記実施の形態に係る陳列台２２においては、その台構成部２４の側板４０に、充電用コンセント６２、電力出力用のコンセント６０を備えるようになっていたが、例えば、太陽光発電による電力を蓄電池４６の充電に用いるために、１２Ｖの直流電流用の充電用コンセント（電力受入部）を備えるようになっていてもよく、また、直流電流用のコンセント（電力出力部）を備えるようになっていてもよい。
【００８９】
また、電力出力用のコンセント６０（電力出力部）や充電用コンセント６２（電力受入部）などは、外部と電気的に接続できるようになっていればどのような構成、態様になっていてもかまわない。
【００９０】
例えば、これらの電力出力用のコンセント６０や充電用コンセント６２などは、台構成部２４の側板４０に設ける代わりに、他の側板３６，３８，４２、上板３２又は底板３４に設けるようにしてもよい。
【００９１】
また、雌型のコンセント６０，６２などの代わりに、雄型の電源プラグを用い、また、それらの雄型の電源プラグに雌型のコンセントが接続され、この雌型のコンセントに外部のショーケース７０、ストッカー７２及びレジスター７４などの什器設備から伸びる電源コードの先端部が接続されるようになっていてもよい。
【００９２】
また、前記実施の形態に係る陳列台２２及びそれを用いた店舗構造２０においては、陳列台２２の電源装置３０に蓄えられた電力は、他の什器設備の主電力として利用されていたが、他に外部電源が近くにある場合には、他の什器設備の補助電力として利用されるようにしてもよい。また、陳列台２２の電源装置３０に蓄えられた電力は、什器設備以外の設備や装置などに利用されるようにしてもよい。
【００９３】
また、前記実施の形態に係る陳列台２２及びそれを用いた店舗構造２０においては、陳列台２２の電源装置３０に蓄えられた電力は、領域７７内に配置される他の什器設備に利用されていたが、販売や展示に付随する照明器具（外部装置）やＬＥＤなどを用いた表示装置（外部装置）、外部装置などに付随して用いられるモニター器具、照明機器、或いは販売や展示に付随しない機器などに利用されてもよい。
【００９４】
また、前記実施の形態に係る店舗構造２０においては、電源装置３０を内蔵した陳列台２２が一台だけ配置されていたが、複数台配置されていてもよい。
【００９５】
また、前記実施の形態に係る陳列台２２及びそれを用いた店舗構造２０においては、枠体２３や蓄電池４６の長さ、幅、高さの具体的な寸法が例示的に記載されているが、これらの寸法に限定されないことはいうまでもない。
【００９６】
また、前記実施の形態においては店舗構造２０に本発明を適用していたが、本発明は店舗構造２０以外の、各種イベントに用いられるどのような催事施設に適用してもよい。
【符号の説明】
【００９７】
２０  店舗構造
２１  床面
２２  陳列台
２３，２３Ａ  枠体
２４，２４Ａ  台構成部
２６  陳列部
２８  キャスター
２８ａ  円板部
３０  電源装置
３２  上板
３２ａ  上面
３４  底板
３６，３８，４０，４２  側板
４４ａ，４４ｂ，４４ｃ  アングル
４６  蓄電池
４８  充電器
５０  変換器
５２  固定部材
５４  外枠部
５６  立設部材
５８  長尺部材
６０  コンセント
６２  充電用コンセント
６４  空気孔
６６  壁
６８  コンセント
７０  ショーケース
７０ａ  電源コード
７０ｂ  電源プラグ
７２  ストッカー
７２ａ  電源コード
７２ｂ  電源プラグ
７３  レジ台
７４  レジスター
７４ａ  電源コード
７４ｂ  電源プラグ
７６  電源コード
７６ａ  コード部
７６ｂ，７６ｃ  電源プラグ
７７  領域
７８  陳列台
Ｌ  長さ寸法
Ｈ  高さ寸法
Ｓ  内部空間
Ｗ  幅方向
【図１】
2014023714.tif 000003
【図２】
2014023714.tif 000004
【図３】
2014023714.tif 000005
【図４】
2014023714.tif 000006
【図５】
2014023714.tif 000007
【図６】
2014023714.tif 000008
【図７】
2014023714.tif 000009